(57)【要約】【課題】外部電源からの電圧を降圧して出力する低圧電源を備えた画像処理装置において、簡単で小型化が容易な構成によって前記低圧電源から発生する熱を良好に逃がすこと。【解決手段】低圧電源基板３００は金属製のカバー３２０に覆われ、更に、ファン４００に外側から対向する熱伝導板３３０が連接されている。また、熱伝導板３３０は、ルーバ５００の羽板５１０の間に開口部３３１を備えている。このため、熱伝導板３３０にはカバー３２０を介して低圧電源基板３００が発生する熱が良好に伝わり、その熱は、開口部３３１を通過するファン４００からの風によって良好に逃がされる。【選択図】図２
2014065187.tif 000002
【特許請求の範囲】
【請求項１】
画像を処理する画像処理部と、
前記画像処理部を収容する筐体と、
前記筐体内に設けられ、前記画像処理部を駆動又は制御するための電圧を、外部電源からの電圧を降圧して出力する低圧電源と、
前記筐体の内外で空気を流通させるためのファンと、
前記低圧電源を覆う金属製のカバーと、
前記金属製のカバーに連設され、前記ファンの風下側に位置して、複数の開口部が形成された熱伝導板と、
を備えたことを特徴とする画像処理装置。
【請求項２】
前記熱伝導板には、前記開口部の端縁に、前記空気の流通方向に沿って切り起こされた切り起こし部が備えられていることを特徴とする請求項１に記載の画像処理装置。
【請求項３】
前記開口部の風下側には、前記空気の流通方向に沿って複数の羽板が平行に形成されたルーバが配置されていることを特徴とする請求項１又は２に記載の画像処理装置。
【請求項４】
前記熱伝導板には、前記開口部の端縁に、前記空気の流通方向に沿って切り起こされた切り起こし部が備えられ、
前記羽板は、前記切り起こし部が嵌合する凹部を有し、
前記切り起こし部が前記凹部に嵌合することにより、当該切り起こし部の表面と前記羽板の表面とが連続した面を構成することを特徴とする請求項３に記載の画像処理装置。
【請求項５】
前記熱伝導板には、前記開口部の端縁に、前記空気の流通方向に沿って切り起こされた切り起こし部が備えられ、前記切り起こし部は、前記ファンの回転によって生じる渦流が当接する側の前記羽板表面に沿って切り起こされたことを特徴とする請求項３又は４に記載の画像処理装置。
【請求項６】
前記熱伝導板には、前記開口部の端縁に、前記空気の流通方向に沿って切り起こされた切り起こし部が備えられ、前記切り起こし部は、前記羽板を補強する形状を有することを特徴とする請求項３〜５のいずれか１項に記載の画像処理装置。
【請求項７】
前記ファンと前記低圧電源とは、前記画像処理部に対して前記筐体内の平面方向同じ側に、上下方向に隣接して配設され、
前記熱伝導板の前記開口部は、前記筐体の前記ファンと対向する部分に設けられたことを特徴とする請求項１〜６のいずれか１項に記載の画像処理装置。
【請求項８】
前記金属製のカバーと前記熱伝導板とが、１枚の金属板によって一体に形成されていることを特徴とする請求項１〜７のいずれか１項に記載の画像処理装置。
【発明の詳細な説明】
【技術分野】
【０００１】
本発明は、画像を処理する画像処理部を備えた画像処理装置に関し、詳しくは、外部電源からの電圧を降圧して出力する低圧電源を、ファンによって冷却する画像処理装置に関する。
【背景技術】
【０００２】
従来より、この種の画像処理装置としては、画像処理部として例えばプリンタエンジン等の画像形成部を筐体内に備えた画像形成装置が知られている。また、この種の画像処理装置としては、画像処理部として読取デバイス等の画像読取部を筐体内に備えた画像読取装置も知られている。この種の画像処理装置では、低圧電源等の回路から発生する熱を効率よく逃がす必要がある。
【０００３】
そこで、発熱素子のヒートシンクをファンのフィンガーガードにヒートパイプを介して接続し、そのファンによって発熱素子に送風しながら、フィンガーガード経由でも発熱素子の熱を逃がすことが提案されている（例えば、特許文献１参照）。また、ファンを利用しない放熱方法としては、発熱性の電子部品に接合されたヒートシンクを、装置の筐体に設けられた放熱窓まで延ばしてその放熱窓に接合することも提案されている（例えば、特許文献２参照）。
【先行技術文献】
【特許文献】
【０００４】
【特許文献１】特開２００３−４６２８７号公報
【特許文献２】特開平１１−８４８４号公報
【発明の概要】
【発明が解決しようとする課題】
【０００５】
ところが、特許文献１の装置では、ヒートシンクとフィンガーガードとの間にヒートパイプを接続する必要があるなど、構成が複雑化して小型化が困難になり、更に、製造コストが上昇してしまう。また、特許文献２のようにファンを利用しない場合、低圧電源から発生する熱を逃がすには限界がある。そこで、本発明は、外部電源からの電圧を降圧して出力する低圧電源を備えた画像処理装置において、簡単で小型化が容易な構成によって前記低圧電源から発生する熱を良好に逃がすことを目的としてなされた。
【課題を解決するための手段】
【０００６】
前記目的を達するためになされた本発明の画像処理装置は、画像を処理する画像処理部と、前記画像処理部を収容する筐体と、前記筐体内に設けられ、前記画像処理部を駆動又は制御するための電圧を、外部電源からの電圧を降圧して出力する低圧電源と、前記筐体の内外で空気を流通させるためのファンと、前記低圧電源を覆う金属製のカバーと、前記金属製のカバーに連設され、前記ファンの風下側に位置して、複数の開口部が形成された熱伝導板と、を備えたことを特徴とする。
【０００７】
このように構成された本発明では、低圧電源は、画像処理部を駆動又は制御するための電圧を、外部電源からの電圧を降圧して出力する。このような低圧電源は、コンデンサ等の電子部品が万一発火したとしても、火の燃え広がりを防止するために、金属製のカバーで覆っておく必要がある。また、本発明では、筐体の内部で発生した熱を筐体の外に排出したり、汚れた空気をフィルタを通してから排出したりするために、筐体の内外で空気を流通させるためのファンが設けられている。そこで、本発明では、前記低圧電源を覆う金属製のカバーに連設され、複数の開口部が形成された熱伝導板を、前記ファンの風下側に配置することにより、低圧電源から発生する熱を逃がしている。
【０００８】
すなわち、熱伝導板は、ファンの風下側に位置するように複数の開口部が形成され、しかも、前記金属製のカバーに連設されているため、熱伝導板には金属製のカバーを介して低圧電源が発生する熱が良好に伝わり、その熱は、開口部を通過するファンからの風によって良好に逃がされる。したがって、本発明では、金属製のカバーに連設した熱伝導板をファンの風下側に配設しただけの簡単な構成で、しかも小型化が容易な構成によって、低圧電源から発生する熱を良好に逃がすことができる。
【０００９】
なお、前記熱伝導板には、前記開口部の端縁に、前記空気の流通方向に沿って切り起こされた切り起こし部が、備えられてもよい。その場合、ファンからの風に接触する熱伝導板の接触面積が増え、開口部を通って流通する空気によって一層良好に前記熱を逃がすことができる。
【００１０】
そして、その場合、前記開口部の風下側には、前記空気の流通方向に沿って複数の羽板が平行に形成されたルーバが配置されていてもよい。前記熱伝導板は、ファンの風下側に位置して複数の開口部が形成されているため、それらの開口部を適切に設定することによって、指がファンに触れるなどの危険を回避することができるが、前記開口部の風下側に複数の羽板が平行に形成されているルーバを配置することにより、そのような危険をより確実に防止することができ、しかも、ファンからの風の流れを複数の羽板によって制御することで、ファンの効率を向上させることができる。
【００１１】
そして、前記熱伝導板の複数の開口部の端縁に切り起こし部が備えられている場合、更に、前記羽板は、前記切り起こし部が嵌合する凹部を有し、前記切り起こし部が前記凹部に嵌合することにより、当該切り起こし部の表面と前記羽板の表面とが連続した面を構成するようにしてもよい。その場合、空気が前記連続した面に沿って円滑に流通し、一層良好に前記熱を逃がすことができる。
【００１２】
また、前記切り起こし部は、前記ファンの回転によって生じる渦流が当接する側の前記羽板表面に沿って切り起こされてもよい。その場合、ファンの回転によって生じる渦流が切り起こし部に直接当たるので、一層良好に前記熱を逃がすことができる。
【００１３】
また、前記切り起こし部は、前記羽板を補強する形状を有してもよい。その場合、ルーバがそれ程強度を有していなくても、切り起こし部によって補強されて必要な強度を確保することが可能となり、装置を一層良好に小型軽量化することができる。
【００１４】
また、本発明において、前記ファンと前記低圧電源とは、前記画像処理部に対して前記筐体内の平面方向同じ側に、上下方向に隣接して配設され、前記熱伝導板の前記開口部は、前記筐体の前記ファンと対向する部分に設けられてもよい。その場合、装置を一層良好に小型化することができる。
【００１５】
また、本発明において、前記金属製のカバーと前記熱伝導板とが、１枚の金属板によって一体に形成されてもよい。すなわち、前記金属製のカバーと熱伝導板とは、別体に形成されて組み立て時に溶接又はネジ止め等によって互いに固定されてもよいが、このように両者が１枚の金属板から構成されている場合、金属製のカバーと熱伝導板との間の熱の移動が一層円滑になり、一層良好に前記熱を逃がすことができる。
【図面の簡単な説明】
【００１６】
【図１】本発明を適用した画像形成装置の構成を概略的に表す中央断面図である。
【図２】その画像形成装置の低圧電源基板周辺の構成を表す斜視図である。
【図３】その低圧電源基板周辺のルーバの構成を表す模式図である。
【発明を実施するための形態】
【００１７】
以下に、本発明の実施形態を図面と共に説明する。なお、以下に説明する実施形態は本発明の実施形態の一例を示すものである。つまり、特許請求の範囲に記載された発明特定事項等は、下記の実施形態に示された具体的手段や構造等に限定されるものではない。そして、本実施形態は、カラー印刷が可能な電子写真方式の画像形成装置に本発明を適用したものである。
【００１８】
１．画像形成装置の概略構成
図１の中央断面図に示すように、本実施形態の画像形成装置１（画像処理装置の一例）は、タンデム型のカラープリンタである。画像形成装置１は、筐体の一例としての本体ケーシング２を備えている。また、本体ケーシング２内には、画像処理部（画像形成部）の一例としてのドロワユニット３が装着されている。本体ケーシング２の正面には、フロントカバー４が開閉可能に設けられ、前述のドロワユニット３は、フロントカバー４を開けることによって、ガイド部３８に沿って本体ケーシング２から引き出し可能となる。
【００１９】
なお、画像形成装置１の正面側（図１における右側）は、前後方向における前側である。また、画像形成装置１が水平な平面上に載置された状態で、その平面に直交する方向が上下方向である。そして、平面上に載置された画像形成装置１を前側から見て、画像形成装置１の左右を規定する。
【００２０】
ドロワユニット３は、ドロワフレーム５を備えている。ドロワフレーム５には、感光体ドラム６、帯電器７、現像器８、及び、ドラムクリーナ９が、ブラック，イエロー，マゼンタ，シアンの各色に対応してそれぞれ４組保持されている。更に、ドロワフレーム５の前下端部には、ベルトクリーナ１０が保持されている。
【００２１】
また、ドロワフレーム５には、各現像器８の上方において、トナーユニット１１が着脱可能に保持されている。現像器８には、トナーユニット１１のトナー収容部１１Ａから現像剤の一例であるトナーが供給される。更に、本体ケーシング２内の最上部には、各色に対応した４本のレーザビームを出射する露光器１２が配設されている。
【００２２】
画像形成時において、感光体ドラム６は、左側（図１の正面側）から見て時計回りに回転される。感光体ドラム６の回転に伴って、感光体ドラム６の表面は、帯電器７からの放電により一様に帯電された後、露光器１２からのレーザビームにより選択的に露光される。この露光によって、感光体ドラム６の表面に静電潜像が形成され、その静電潜像は、現像器８からのトナーの供給によりトナー像に現像される。
【００２３】
また、本体ケーシング２内には、ドロワユニット３の装着位置より下方の位置に、転写搬送ベルト１３が設けられている。転写搬送ベルト１３は、２つのローラ１４，１５に巻回された無端状のベルトである。２つのローラ１４，１５は、上下方向において同じ位置に配置され、前後方向に間隔を空けて配置されている。これにより、転写搬送ベルト１３は、２つのローラ１４，１５の各上端間において、前後方向及び左右方向に延びる平面状部分を有している。この平面状部分は、４つの感光体ドラム６と接触している。更に、転写搬送ベルト１３の前記平面状部分を挟んで各感光体ドラム６と対向する位置には、転写ローラ１６が配置されている。
【００２４】
本体ケーシング２の底部には、被記録媒体の一例としての用紙を収容する給紙カセット１７が配置されている。給紙カセット１７に収容された用紙は、各種ローラにより、転写搬送ベルト１３の前記平面状部分上に送り込まれる。そして、用紙は、転写搬送ベルト１３により、転写搬送ベルト１３と各感光体ドラム６との間を通して後方に搬送される。
【００２５】
画像形成時において、転写搬送ベルト１３は、左側から見て反時計回りに周回走行する。各感光体ドラム６の表面に形成されたトナー像は、各転写ローラ１６の働きにより、ブラックのトナー像から順に互いに重ね合わせて用紙に転写される。これにより、用紙には、各色のトナー像の重ね合わせによるカラートナー像が電子写真方式で形成される。
【００２６】
転写搬送ベルト１３の後方には、定着器１８が設けられている。トナー像が転写された用紙は、定着器１８に搬送され、加熱及び加圧により、トナー像が用紙に定着される。トナー像が定着された用紙は、各種ローラにより、本体ケーシング２の上面の排紙トレイ１９に排出される。
【００２７】
本体ケーシング２の上方には、原稿画像のデータを読み取るためのスキャナ２１が設けられている。そして、画像形成装置１は、スキャナ２１で読み取った原稿画像のデータに基づいて、用紙に原稿画像を再現するコピー機能を有している。また、画像形成装置１は、スキャナ２１で読み取った原稿画像のデータを画像形成装置１と接続されたパーソナルコンピュータに送信するスキャナ機能を有している。更に、画像形成装置１は、スキャナ２１で読み取った原稿画像のデータを公衆電話回線を介してファクシミリ装置に送信するファクシミリ機能を有していてもよい。
【００２８】
ドロワフレーム５の前下端部に配置されたベルトクリーナ１０は、１次ベルトクリーニングローラ１１１及び２次ベルトクリーニングローラ１１２を備えている。そのうち、１次ベルトクリーニングローラ１１１は、ローラ１４との間に転写搬送ベルト１３を挟むように、転写搬送ベルト１３にそのほぼ全幅にわたって接触する。２次ベルトクリーニングローラ１１２は、１次ベルトクリーニングローラ１１１に前上方からそのほぼ全幅にわたって接触している。更に、２次ベルトクリーニングローラ１１２の下方には、左方が開放された廃トナー搬送室１１７が設けられており、その廃トナー搬送室１１７には、オーガ１２０が設けられている。
【００２９】
この構成によって、転写搬送ベルト１３上の廃トナーは、次のようにしてベルトクリーナ１０に回収される。すなわち、１次ベルトクリーニングローラ１１１及び２次ベルトクリーニングローラ１１２には、所定のバイアスが供給されている。そして、転写搬送ベルト１３上の廃トナーは、１次ベルトクリーニングローラ１１１，２次ベルトクリーニングローラ１１２と順次転移して、廃トナー搬送室１１７に受け取られる。廃トナー搬送室１１７内では、オーガ１２０が回転しており、廃トナー搬送室１１７内の廃トナーはこのオーガ１２０により、左方に搬送されて、側板外搬送部１３１に送り込まれる。
【００３０】
側板外搬送部１３１は、廃トナー搬送室１１７の左方から上に向かって延びるトナー搬送ベルト（図示省略）を備えており、廃トナー搬送室１１７から左方に搬送された廃トナーを、ドロワフレーム５の前上端部に設けられた廃トナー収容室１５４へ搬送する。なお、この側板外搬送部１３１の構成については、本発明とは直接的な関係がないので説明を割愛するが、詳しくは、特願２０１１−３４３４４号（特開２０１２−１７３４５５号）を参照されたい。
【００３１】
また、本体ケーシング２の左側面内側でドロワユニット３及び左側のガイド部３８の外側（左側）には、転写搬送ベルト１３と隣接する位置に高圧基板２００が立てて配設され、定着器１８と隣接する位置に低圧電源の一例としての低圧電源基板３００が立てて配設されている。なお、低圧電源基板３００は、商用交流電源等の外部電源からの電圧を所定電圧に降圧して、図示省略したモータやコントロールユニット（ＥＣＵ）といった画像形成装置１内の他の機器に出力するものである。
【００３２】
ベルトクリーナ及び廃トナー収容室を転写搬送ベルト１３と給紙カセット１７との間に配設した従来機種では、低圧電源基板３００も転写搬送ベルト１３と給紙カセット１７との間に配設する場合が多かった。これに対して、本実施形態では、前述のようにベルトクリーナ１０及び廃トナー収容室１５４を配設して装置を上下方向に小形化可能としたため、低圧電源基板３００も本体ケーシング２の左側面内側に立てて配設したのである。更に、低圧電源基板３００の上方には、ファン４００が配設されている。次に、この低圧電源基板３００の周辺の構成について、詳細に説明する。
【００３３】
２．低圧電源基板周辺の構成
図２（Ｂ）に示すように、低圧電源基板３００は、コンデンサ等の各種電子部品３０１が実装された電子部品実装面３０２を内側にして配設され、ハンダ付け面を除く他の部分が直方体状の金属製のカバー３２０に覆われている。カバー３２０は、本体ケーシング２の左側面内側、すなわち、低圧電源基板３００のハンダ付け面側に配設された金属製のシールド板３５０と協働して、いわゆる防火用エンクロージャとして機能するものであり、コンデンサ等の各種電子部品３０１が万一発火しても、火の燃え広がりを確実に防止することができる。また、低圧電源基板３００の周囲を覆うことによって、電磁的な干渉を防止するための電気的エンクロージャーとしても機能する。なお、図２（Ａ）は、カバー３２０及びファン４００の構成を前方内側（右側）から表す斜視図で、図２（Ｃ）は、金属製のシールド板３５０の図示を省略してカバー３２０及びファン４００の構成を前方外側（左側）から表す斜視図である。また、図２（Ｂ）は図２（Ａ）における枠Ａの内部を拡大して表す図（シールド板３５０は省略）で、その図２（Ｂ）における枠Ｂの内部はカバー３２０を斜めに切断して表している。金属製のシールド板３５０は、図２（Ａ）に示すように、カバー３２０と一体的に組み付けられることにより、低圧電源基板３００の周囲を覆うエンクロージャ専用の部材であってもよいし、例えば、本体ケーシング２を構成する板金フレームの一部を利用して、低圧電源基板３００のハンダ付け面側を覆うように構成されているものであってもよい。
【００３４】
カバー３２０には、前後上下方向の面の各所に通気穴３２１が形成され、更に、ファン４００に外側から対向する熱伝導板３３０が連接されている。ファン４００の外側の本体ケーシング２には、本体ケーシング２の外から指がファン４００に触れるのを防止するルーバ５００が一体成形され、熱伝導板３３０は、ルーバ５００とファン４００との間に配設されている。また、ルーバ５００は、指の侵入を防止可能な間隔を開けて水平方向に平行に複数形成された羽板５１０を備え、熱伝導板３３０は、その羽板５１０の間に開口部３３１を備えている。このため、ファン４００は、定着器１８の周囲で熱せられた空気や低圧電源基板３００における電子部品３０１の発熱によって熱せられた空気を、直接または通気穴３２１を介して回収し、開口部３３１と羽板５１０の間とを順次経由して本体ケーシング２の外に排出する。
【００３５】
また、図３（Ａ）に示すように、各羽板５１０は、ファン４００による空気の流通方向に沿った流線形の断面形状を有し、その風上側に断面形状矩形に切りかかれた凹部５１１を有している。そして、熱伝導板３３０は、開口部３３１の端縁に、前記空気の流通方向に沿って切り起こされた切り起こし部３３５を備えている。この切り起こし部３３５は、凹部５１１に嵌合することによって、その切り起こし部３３５の表面と羽板５１０の表面とが連続した面を構成する。また、凹部５１１や切り起こし部３３５の形成位置は、ファン４００の鉛直方向の中心軸を挟んで上下が逆転しており、ファン４００の回転によって生じる渦流が当接する側に形成されている。なお、このような構成を有する熱伝導板３３０は、銅やアルミニウムといった熱伝導性のよい１枚の金属板から、プレス成型によって前述のカバー３２０と一体に形成されている。
【００３６】
３．本実施形態の効果及びその変形例
ここで、図２（Ｂ）に示すように、低圧電源基板３００は、電子部品３０１とカバー３２０との絶縁性が確保された状態で、電子部品実装面３０２と反対側の面（いわゆるハンダ付け面）側が金属製のシールド板３５０と対向する状態で、カバー３２０の内側（金属製のシールド板３５０の内側でもよい）に固定されている。このため、本実施形態では、低圧電源基板３００から発生する熱を次のように良好に逃がすことができる。
【００３７】
すなわち、熱伝導板３３０は、ファン４００の風下側に位置するように複数の開口部３３１が形成され、しかも、金属製のカバー３２０に連設されている。このため、熱伝導板３３０にはカバー３２０を介して低圧電源基板３００が発生する熱が良好に伝わり、その熱は、開口部３３１を通過するファン４００からの風によって良好に逃がされる。したがって、本実施形態では、カバー３２０に連設した熱伝導板３３０をファン４００の風下側に配設しただけの簡単な構成で、しかも小型化が容易な構成によって、低圧電源基板３００から発生する熱を良好に逃がすことができる。
【００３８】
しかも、本実施形態では、熱伝導板３３０の開口部３３１の風下側には、前記空気の流通方向に沿って複数の羽板５１０が平行に形成されたルーバ５００が配置されている。このため、ファン４００からの風の流れを複数の羽板５１０によって制御することで、ファン４００の効率を向上させることができる。また、前記熱伝導板３３０の複数の開口部３３１の端縁に切り起こし部３３５が備えられ、その切り起こし部３３５は、各羽板５１０のファン４００からの渦流が当接する側に形成された凹部５１１に嵌合して羽板５１０の表面と連続した面を構成する。このため、空気が前記連続した面に沿って円滑に流通し、一層良好に前記熱を逃がすことができ、更に、ファン４００からの風に接触する熱伝導板３３０の接触面積が増え、開口部３３１を通って流通する空気によって一層良好に前記熱を逃がすことができる。
【００３９】
また、前記渦流が羽板５１０に当たって向きを変えられることによっても、乱流の発生が促進されて熱伝導板３３０から空気への熱伝達が促進され、前記熱を一層良好に逃がすことができる。
【００４０】
なお、本発明は前記実施形態に何ら限定されるものではなく、本発明の要旨を逸脱しない範囲で種々の形態で実施することができる。例えば、図３（Ｂ）に示すように、羽板５１０は凹部５１１を有さず、切り起こし部３３５は羽板５１０の表面に当接するだけであってもよく、切り起こし部３３５は省略してもよい。更に、熱伝導板３３０はルーバ５００と全く接触していなくてもよい。また更に、熱伝導板３３０の開口部３３１を適切に設定することによっても、指がファン４００に触れるなどの危険を回避することができ、その場合、ルーバ５００は省略してもよい。
【００４１】
また、図３（Ｃ）に示すように、羽板５１０が凹部５１１を上下両面に有し、切り起こし部３３５は、上下両方の凹部５１１に嵌合して前記羽板５１０を補強する形状を有してもよい。その場合、ルーバ５００がそれ程強度を有していなくても、切り起こし部３３５によって補強されて必要な強度を確保することが可能となり、装置を一層良好に小型軽量化することができる。
【００４２】
また、前記カバー３２０と熱伝導板３３０とは、別体に形成されて組み立て時に溶接又はネジ止め等によって互いに固定されてもよい。但し、前記実施形態のように、カバー３２０と熱伝導板３３０とが１枚の金属板によって一体に形成されている場合、カバー３２０と熱伝導板３３０との間の熱の移動が一層円滑になり、一層良好に前記熱を逃がすことができる。そして、更に、切り起こし部３３５の表面には、アルマイト処理等によって小さな凹凸を設けてもよい。その場合、前記凹凸によって空気の流れを乱し、熱伝達を促して一層良好に前記熱を逃がすことができる。
【００４３】
また、ファン４００と低圧電源基板３００とは、転写搬送ベルト１３を挟んで反対側に設けられてもよい。但し、前記実施形態では、ファン４００と低圧電源基板３００とが、本体ケーシング２内の平面方向同じ側に、上下方向に隣接して配設されているので、装置を一層良好に小型化し、かつ、前記熱を一層良好に逃がすことができる。更に、ファン４００は、定着器１８の周囲の空気のみを外部に排出し、低圧電源基板３００の冷却は熱伝導板３３０を介してのみなされてもよく、ファン４００は本体ケーシング２の外部の空気を内部に吸い込むものであってもよい。
【００４４】
また更に、本発明は、前述のような電子写真方式のカラー画像形成装置に限定されるものではなく、モノクロの画像形成装置やインクジェットプリンタ、あるいは、スキャナ等の他の画像処理装置にも同様に適用することができる。
【符号の説明】
【００４５】
１…画像形成装置          ２…本体ケーシング          ３…ドロワユニット
６…感光体ドラム          ７…帯電器                  ８…現像器
９…ドラムクリーナ        １０…ベルトクリーナ        １１…トナーユニット
１２…露光器              １３…転写搬送ベルト        １６…転写ローラ
１８…定着器              １５４…廃トナー収容室      ２００…高圧基板
３００…低圧電源基板      ３０１…電子部品            ３２０…カバー
３２１…通気穴            ３３０…熱伝導板            ３３１…開口部
３３５…切り起こし部      ４００…ファン              ５００…ルーバ
５１０…羽板              ５１１…凹部
【図１】
2014065187.tif 000003
【図２】
2014065187.tif 000004
【図３】
2014065187.tif 000005